(57)【要約】【課題】  構造が簡素であり、押し潰した空き缶の管理が容易な空き缶押し潰し装置を実現する。【解決手段】  可動板１２を揺動自在に軸支した固定板１１を軸支側を下方に傾斜して配すると共に、上記軸支個所における可動板と固定板との間に押し潰し前の缶の直径より低いが、押し潰し後の缶の厚みより高い寸法を有する間隙を設けた顎状部材１０を有する空き缶押し潰し装置において、開口状態の袋体Ｂが掛止可能な枠体２０を装置本体の上記顎状部材の枢軸側の直下に着脱自在に突設する。【選択図】      図１
2005144541.tif 000002
【特許請求の範囲】
【請求項１】
可動板を揺動自在に軸支した固定板を軸支側を下方に傾斜して配すると共に、上記軸支個所における可動板と固定板との間に押し潰し前の缶の直径より低いが、押し潰し後の缶の厚みより高い寸法を有する間隙を設けた顎状部材を有する空き缶押し潰し装置において、開口状態の袋体が掛止可能な枠体を装置本体の上記顎状部材の枢軸側の直下に着脱自在に突設したことを特徴とする空き缶押し潰し装置。
【請求項２】
枠体は平面横置きコ字状又は四角状にして、切り欠き状の持ち手を有するごみ袋の持ち手が掛止可能な突起を前後の辺の上部に突設した構成よりなる請求項１記載の空き缶押し潰し装置。
【請求項３】
顎状部材を軸支側を前方に向けて支持する柱状体と、上記柱状体を起立状態に支持するために柱状体の後方方向に延設される基台により装置本体を構成し、足踏み個所が柱状体の後方に位置する足踏みレバーを顎状部材の可動板と共軸に設け、上記足踏みレバーを可動板の開放方向に附勢する請求項１又は２記載の空き缶押し潰し装置。
【請求項４】
顎状部材の固定板の前方両端より上方に張り出して折曲したブラケット間に軸架される回転軸に可動板端を固定することにより可動板の軸支手段とすると共に、軸支個所における固定板との間の間隙形成手段とした請求項１から３の何れかに記載の空き缶押し潰し装置。
【請求項５】
顎状部材の固定板の前方両端より上方に張り出して折曲したブラケットに、揺動しようとする可動板が当接するピンを着脱自在に配することにより、可動板の閉止を阻止する安全装置とした請求項４記載の空き缶押し潰し装置。
【発明の詳細な説明】
【技術分野】
【０００１】
この発明は空き缶を押し潰すことにより廃棄時の体積を減少させるための空き缶押し潰し装置に関する。
【背景技術】
【０００２】
リサイクルの観点から、空き缶を分別回収することが推奨されている。この場合、回収日までの保管や回収のための輸送コストを考慮した場合、押し潰すことにより空き缶の体積を極力減少させることが望ましい。そのための空き缶押し潰し装置が多数提案されており、その中の一つとして可動板を揺動自在に軸支した固定板を軸支側を下方に傾斜して配すると共に、上記軸支個所における可動板と固定板との間に押し潰し前の缶の直径より低いが、押し潰し後の缶の厚みより高い寸法を有する間隙を設けた顎状部材を用いるものが特許文献１乃至６により公知である。
【特許文献１】実願昭５７−１６７２８（実開昭５８−１１９９９８）のマイクロフィルム
【特許文献２】実願平５−４４８８（実開平６−６６８９１）のＣＤ−ＲＯＭ
【特許文献３】特願平６−８５２０２（特開平７−２５６４９６）のＣＤ−ＲＯＭ
【特許文献４】実用新案登録第３０１０９２９号
【特許文献５】特願平７−２８７８４６（特開平９−１０３８９９）のＣＤ−ＲＯＭ
【特許文献６】特願平１０−１７２２７８（特開平１１−３４７７９７）のＣＤ−ＲＯＭ
【発明の開示】
【発明が解決しようとする課題】
【０００３】
ところで、現実のリサイクルの流れを考察した場合、先ず、家庭なり事業者において空き缶を分別して保管し、これを指定日に分別回収に供することが一般的である。つまり、今までは他の廃棄物と共に好きな日に自由に廃棄していた空き缶を指定日まで保管しておかなくてはならない。その点において、少しでも邪魔にならないように空き缶の体積を減少させるための押し潰し装置の存在意義があるが、同時に押し潰した空き缶を回収日まで保管する手段も考慮されなければならない。しかしながら、前記の特許文献中の１乃至４においては、この点の開示はない。
【０００４】
これに対して、特許文献５には保管手段として箱状の容器が開示されているが、空き缶には液体が残留している可能性もあり、それが容器内に流出して容器を汚す可能性も十分予想され、定期的に容器を洗浄しなくてはならない不便さがあった。
【０００５】
一方、特許文献６には容器として装置内に着脱自在のナイロン袋を用いることが開示されている。よって、上記ナイロン袋を使い捨てのものにすれば、少なくとも前記の問題点は解消する。しかしながら、特許文献６に開示の押し潰し装置は筐体内に顎状部材及びナイロン袋を収容する構成のものである。この場合、空き缶が集積された場合、ナイロン袋はかなりの重量となることが予想され、これを筐体状の容器の開口部から手を汚さずに取り出す作業はかなり面倒である。ところで、空き缶の押し潰しに際して缶内に液体が残留していると押し潰し時にそれが圧縮され周囲に飛散する可能性がある。よって、上記押し潰し装置の場合は液体が筐体状の容器の内壁に付着する可能性があり、定期的に装置を洗浄しなくてはならない不便さがあった。
【０００６】
更に、顎状部材の揺動に関し、足踏みによる人力を採用している特許文献１、２、５、６においては、そのための伝達ロッドやリンク機構を採用しており、構造が複雑となり製造コストが嵩む問題点があった。
【課題を解決するための手段】
【０００７】
この発明は以上の従来技術の問題点に鑑みて創作されたものであり、ここでは次の２つの発明を開示する。
【０００８】
第１発明は、可動板を揺動自在に軸支した固定板を軸支側を下方に傾斜して配すると共に、上記軸支個所における可動板と固定板との間に押し潰し前の缶の直径より低いが、押し潰し後の缶の厚みより高い寸法を有する間隙を設けた顎状部材を有する空き缶押し潰し装置において、開口状態の袋体が掛止可能な枠体を装置本体の上記顎状部材の枢軸側の直下に着脱自在に突設したことを特徴とする。
【０００９】
第２発明は、前記第１発明において、顎状部材を軸支側を前方に向けて支持する柱状体と、上記柱状体を起立状態に支持するために柱状体の後方方向に延設される基台により装置本体を構成し、足踏み個所が柱状体の後方に位置する足踏みレバーを顎状部材の可動板と共軸に設け、上記足踏みレバーを可動板の開放方向に附勢することを特徴とする。
【発明の効果】
【００１０】
第１発明においては、空き缶を顎状部材の可動板と固定板との間に横倒し状態で差し入れ、可動板を固定板側に閉止することにより空き缶が押し潰され、押し潰されて厚みが減少した空き缶が軸支個所における可動板と固定板との間の間隙から重力によって落下する基本作用を生じる。そして、顎状部材の枢軸側の直下には開口状態の袋体が掛止可能な枠体が突設されているので、上記枠体に袋体を予め掛止することにより押し潰された空き缶は袋体内に落下、収容される作用を生じる。
【００１１】
この場合、袋体は枠体に掛止されるので、脱着作業は全て枠体の外方から行うことができ、装着が容易なばかりでなく、取り外しも容易であり、手等を汚すことなく空き缶を容易に押し潰し装置から回収することが可能となる。又、枠体自在が押し潰し装置に対して着脱自在となっているので、場合によっては袋体を掛止したまま枠体ごと押し潰し装置から取り外して所定の回収場所まで運搬することもできる。これは特に収容した空き缶の数が多くて重量が嵩み、手持ちすると袋体が裂けるおそれがある場合に有効である。
【００１２】
次に、第２発明においては、顎状部材を軸支側を前方に向けて支持する柱状体と、上記柱状体を起立状態に支持するために柱状体の後方方向に延設される基台により装置本体を構成しているので、そのまま水で流すだけで洗浄でき、洗浄した水もそのまま外に流れて乾燥する。よって、内部に水が滞留するおそれがあり、洗浄にあたり内部に手が届き難い筐体状の装置本体を採用している場合に比し洗浄が容易である。同様に押し潰し時に空き缶内の液体が飛散した場合でも液体はそのまま押し潰し装置を置いてある床面に落下するので、床面を水洗いすれば事足り、洗浄が容易である。
【００１３】
又、第２発明においては、足踏み個所が柱状体の後方に位置する足踏みレバーを顎状部材の可動板と共軸に設けることにより、人力による可動板の揺動手段としているので、構造が極めて簡素であり、リサイクルに有用な空き缶押し潰し装置を低コストで世の中に送り出すことが可能となる。一方、足踏みレバーの支点は装置本体の前端に位置する顎状部材の枢軸箇所に存するのに対し、足踏み箇所は装置本体の後方に存し、しかも柱状体を支持している基台は柱状体の後方方向に延設されるので、足踏みレバーに使用者が全体重をかけても装置本体が倒れることはなく、安定した作動を実現する押し潰し装置となる。これは、例えば、ペダルと可動板を連結する連結ロッドの支点が装置本体の後方寄りに位置する前記特許文献６に比し顕著な効果である。
【００１４】
更に、第２発明においては全体の構成が簡易なことに相まって、袋体を掛止する枠体は着脱自在となっているので可搬性に富み、分別回収日ごとに回収場所に設置する空き缶押し潰し装置や、空き缶の廃棄が予想される野外での各種の催し物等に際して使用する臨時の空き缶押し潰し装置に最適である。
【００１５】
この発明によれば、極めて低コストで空き缶押し潰し装置を提供することが可能となり、しかも構造上場所を取らないので一般家庭でも無理なく保有することができ、リサイクルに寄与する他、今まで道端に投げ捨てていた空き缶も自宅に持ち帰ることが期待でき環境の美化にも寄与する。
【発明を実施するための最良の形態】
【００１６】
以下、この発明の具体的実施例を添付図面に基づいて説明する。尚、ここでは説明の便宜上第１発明を内包する第２発明を例にとる。図１はこの発明の空き缶押し潰し装置の斜視図である。図中符号１は押し潰し装置の躯体となる装置本体であり、ここでは金属製の台座３に金属製の柱状体２を立設した構成よりなる。台座３はここではＶ字状に構成され、柱状体２の後方方向に延設されるように、Ｖ字の先端において柱状体２を支持するようにしている。
【００１７】
図中符号１０は固定板に対する可動板の閉止により両者に挟まれた空き缶を押し潰すための金属製の顎状部材である。この顎状部材１０は装置本体１の上端に固定される固定板１１と、上記可動板に揺動自在に軸支される可動板１２からなり、固定板１１は軸支側を装置本体前方に向けると共に下方に傾斜して配される。上記可動板１２は固定板１１の前方両端より上方に張り出して折曲したブラケット１１Ａ、１１Ａ間に軸架される回転軸１４に固定されることにより、軸支個所において固定板との間に間隙を形成する。そして、この間隙を押し潰し前の缶Ｃの直径より低いが、押し潰し後の缶の厚みより高い寸法とすることにより、可動板１２の開放時には固定板１１との間に缶を保持し（図３参照）、缶の押し潰し後には傾斜した固定板上の缶が上記間隙を通過して下方に滑り落ちるようにしている（図４及び図５参照）。尚、図中符号１３は缶Ｃの押し潰し時に缶が顎状部材１０の開放方向に逃げ出さないようにするためのストッパーのための突条である。
【００１８】
図中符号４は前記の可動板１２を揺動するための金属製の足踏みレバーであり、一端を可動板が固定される回転軸１４に固定することにより可動板と共軸とし、他端を足踏み箇所とする。この場合、ここでは足踏みレバー４を平面コ字状として、連結部を足踏み箇所５とすると共に、開放両端を回転軸１４に固定する。そして、この際に足踏み個所５が柱状体２の後方に位置し、且つ足踏みに適した高さを維持するよう足踏みレバー４を側面く字状としている。尚、図中符号６は上記足踏みレバー４を可動板１２の開放方向に附勢するために、足踏みレバーと固定板１１間に架け渡される引っ張りコイルバネである。
【００１９】
図中符号２０は枠体である。この枠体２０は開口状態の袋体が掛止可能なものでなければならず、ここでは袋体Ｂとして切り欠き状の持ち手Ｂ１、Ｂ１を有するプラスチックフィルム製のごみ袋を想定し、平面横置きコ字状の前後の辺の上部に持ち手が掛止可能な突起２１、２１をそれぞれ一対突設した構成よりなるものを例示している（図２参照）。上記の枠体２０は一方の辺の中央より垂設した挿入ピン２２を装置本体１の柱状体７の前面に突設した筒状のソケット７に挿入することにより、顎状部材の枢軸側の直下に着脱自在に突設可能としている。尚、上記枠体２０の構成は例示であり、平面形状は四角状であってもよく、袋体の掛止手段も例えば突起の代わりに切り込み溝としてもよい（図示せず）。又、持ち手を有しない袋体を掛止できるように平面四角状の枠体内周から袋体の上端を上方に向かって突出させて、これを枠体の外周に折り返し、その上から固定枠を枠体に外嵌する構成のものであってもよい（図示せず）。
【００２０】
尚、安全装置として、この実施例においては顎状部材１０の固定板１１の前方両端より上方に張り出して折曲したブラケット１１Ａに、揺動しようとする可動板が当接するピン３０（Ｒピンを採用）を着脱自在に配している。従って、不使用時に前記のピン３０を装着することにより、子供等が不用意に足踏みレバーを押圧しても、ピンにより可動板の閉止が阻止されて指や手が顎状部材に挟まれることが防止される。
【図面の簡単な説明】
【００２１】
【図１】この発明の空き缶押し潰し装置の斜視図。
【図２】同上、枠体の斜視図。
【図３】同上、使用状態を示す側面図。
【図４】同上、使用状態を示す側面図。
【図５】同上、使用状態を示す側面図。
【符号の説明】
【００２２】
Ｂ        袋体
１        装置本体
２        柱状体
３        台座
４        足踏みレバー
５        足踏み箇所
１０      顎状部材
１１      固定板
１２      可動板
２０      枠体
【図１】
2005144541.tif 000003
【図２】
2005144541.tif 000004
【図３】
2005144541.tif 000005
【図４】
2005144541.tif 000006
【図５】
2005144541.tif 000007